(57)【特許請求の範囲】
【請求項１】
複数本の針から選択される１本の針を縫製位置に配置して刺繍縫いを行なわせる多針刺繍ミシンに設けられ、該針が刺繍縫いを休止したときに該針に通っている上糸を該針の下方から後方へはらい上げる上糸はらい部材と、はらい上げられた該上糸が該針から後方へ所定長だけ延びた所で該上糸の切断端部付近を保持する上糸保持具とを備えた休止上糸保持装置において、
前記上糸保持具から延びる保護板と、複数本の前記針の各間の後方に位置するように設けられた複数の保護突片とからなり、刺繍枠に挟持されて起立した加工布の周縁部が前記針から後方へ延びている前記上糸の後延部分を引っ掛けないよう、該後延部分の直ぐ下方に位置して上糸を保護する上糸保護部材を設け、複数の前記保護突片の各間が、前記上糸はらい部材の通過を許容する通過許容部となっていることを特徴とする多針刺繍ミシンの休止上糸保持装置。
【請求項２】
前記上糸保護部材が、前記上糸保持具から前方へ突設されたものである請求項１記載の多針刺繍ミシンの休止上糸保持装置。
【請求項３】
前記通過許容部が、前記上糸保持具より下にある請求項１又は２記載の多針刺繍ミシンの休止上糸保持装置。
【発明の詳細な説明】
【０００１】
【発明の属する技術分野】
この発明は、多針刺繍ミシンに設けられ、各針が刺繍縫いを休止したときに、その針に通っている上糸を該針の後方へはらい上げて保持する休止上糸保持装置に関するものである。
【０００２】
【従来の技術】
多針刺繍ミシンにおいては、図４及び図５に示すように、刺繍ヘッド５１の複数本の針５２から選択される１本の針５２を縫製位置に配置して刺繍縫いを行なわせる。そして、その針５２が刺繍縫いを休止したときに、針５２に通っている上糸５３を釜５４の近傍に設けた糸切断装置６７で切断し、該上糸５３を針５２の後方に設けた上糸はらい装置５５で引っ掛けて針５２の下方から後方へはらい上げ、該上糸５３が針５２から後方へ所定長だけ延びた所で、上糸５３の切断端部付近を針５２の後方に設けた上糸保持具５６で保持するようにしている。これは、切断した上糸５３が加工布５７の上に垂れていると、縫製位置に配置された次の針（図示略）によって加工布５７に縫込まれてしまうので、その縫込みを防ぐためである。
【０００３】
上糸保持具５６は、図５及び図６に示すように、上下一対の保持板５８と、各保持板５８の対峙面に植設された多数本の毛状体５９と、下側の保持板５８の左右両端に設けられた取付ブラケット６０とを備え、取付ブラケット６０において刺繍ヘッド５１にネジ６１で取付けられている。上下一対の保持板５８は、その間に介されたスペーサ６２により所定間隔に対峙した状態で、ネジ６３で互いに止められている。
【０００４】
【発明が解決しようとする課題】
ところが、加工布５７が刺繍枠６４に対してあまり大きくなく、かつ、腰の強い生地又は厚い生地である場合に、その加工布５７が刺繍枠６４に挟持されると、加工布５７の周縁部５７ａが起立するため、その起立した周縁部５７ａが、刺繍枠６４の駆動に伴い、針５２から後方へ延びている上糸５３の後延部分５３ａを引っ掛けて、上糸５３を上糸保持具５６から脱落させることがあり、上記縫込みが発生していた。
【０００５】
そこで、本発明の目的は、刺繍枠に挟持されて起立した加工布の周縁部が、針の後方へはらい上げられている上糸を上糸保持具から脱落させる不具合を防止することができる多針刺繍ミシンの休止上糸保持装置を提供することにある。
【０００６】
【課題を解決するための手段】
本発明では、複数本の針から選択される１本の針を縫製位置に配置して刺繍縫いを行なわせる多針刺繍ミシンに設けられ、該針が刺繍縫いを休止したときに該針に通っている上糸を該針の下方から後方へはらい上げる上糸はらい部材と、はらい上げられた該上糸が該針から後方へ所定長だけ延びた所で該上糸の切断端部付近を保持する上糸保持具とを備えた休止上糸保持装置において、前記上糸保持具から延びる保護板と、複数本の前記針の各間の後方に位置するように設けられた複数の保護突片とからなり、刺繍枠に挟持されて起立した加工布の周縁部が前記針から後方へ延びている前記上糸の後延部分を引っ掛けないよう、該後延部分の直ぐ下方に位置して上糸を保護する上糸保護部材を設け、複数の前記保護突片の各間が、前記上糸はらい部材の通過を許容する通過許容部となっていることを特徴としている。
【０００７】
上糸保護部材は、上糸保持具とは独立して設けられたものでもよいが、部品点数削減の点で、上糸保持具から前方へ突設されたものが好ましく、さらに上糸保持具に一体形成されたものが好ましい。
【０００８】
また、通過許容部が、上糸保持具より下にあることが好ましい。通過許容部としては、切欠、穴等を例示できる。
【０００９】
【発明の実施の形態】
以下、この発明を具体化した多針刺繍ミシンの一実施形態を図１〜図３に基づいて説明する。多針刺繍ミシンのアーム１には刺繍ヘッド２が左右方向にスライド可能に支持されている。刺繍ヘッド２には複数本の針棒４が左右方向に等間隔をおいて上下動可能に配列され、各針棒４には針５及び布押え６が取付けられている。刺繍ヘッド２の前面には糸保持エプロン７が装着され、該糸保持エプロン７には各針５に通された上糸８を必要時につかむ糸つかみ装置９が針５等と同数だけ設けられている。
【００１０】
刺繍ヘッド２の下方に設けられたベッド１０の上では、加工布１１を展張した刺繍枠１２が駆動装置（図示略）によって水平面内で前後左右に駆動されるようになっている。ベッド１０には針板１３が設けられ、該針板１３の下側には糸切断装置１４及び釜１５が配設されている。上糸８は糸巻から糸調子皿、天秤（いずれも図示略）等を介して糸保持エプロン７に挿通され、そこから針５、布押え６、針板１３を経て釜１５に供給されている。そして、刺繍ヘッド２の左右スライドに伴い複数本の針５から選択された１本の針５を縫製位置に配置し、該縫製位置の針５と釜１５との協働により、加工布Ｗに刺繍縫いを行なうようになっている。
【００１１】
針棒４の後方においてアーム１には、縫製位置の針５が刺繍縫いを休止したときに該針５に通っている上糸８を針５の下方から後方へはらい上げるための上糸はらい装置１７が、前下がりに傾斜した姿勢で取付具１６により取付けられている。この傾斜は、針５の後方のスペースを拡大するためである。
【００１２】
上糸はらい装置１７は、アーム１に固定されたガイド部材１８と、ガイド部材１８のガイド溝に摺動可能に挿通された細長板状の上糸はらい部材１９と、ガイド部材１８の上端に取付けられたロータリーソレノイド２０と、ロータリーソレノイド２０の回転運動を上糸はらい部材１９の直線運動に変換するリンク機構２１とからなり、上糸はらい部材１９の前端にはフック状の引掛部２２が形成されている。
【００１３】
刺繍ヘッド２の後部には、上糸はらい部材１９によって針５の後方へはらい上げられた上糸８が該針５から後方へ所定長だけ延びた所で該上糸８の切断端部付近を保持するための上糸保持具２７が設けられている。
【００１４】
上糸保持具２７は、上下一対の保持板２８と、各保持板２８の対峙面に植設された多数本の毛状体２９と、下側の保持板２８の左右両端から折曲して上方へ延びる取付ブラケット３０とを備え、取付ブラケット３０において刺繍ヘッド２にネジ３１で取付けられている。上下一対の保持板２８は、その間に介されたスペーサ３２により所定間隔に対峙した状態で、ネジ３３で互いに止められている。前記上糸はらい部材１９は毛状体２９の間を通過でき、上糸８の切断端部付近は毛状体２９の間に保持される。
【００１５】
前記の通り、加工布１１が刺繍枠１２に対してあまり大きくなく、かつ、腰の強い生地又は厚い生地である場合に、その加工布１１が刺繍枠１２に挟持されると、加工布１１の周縁部１１ａが起立する。そこで、本実施形態では、この起立した周縁部１１ａが針５から後方へ延びている上糸８の後延部分８ａを引っ掛けないよう、該後延部分８ａの直ぐ下方に位置して上糸８を保護する上糸保護部材３５が設けられている。
【００１６】
上糸保護部材３５は、上糸保持具２７の下側の保持板２８の前縁から連続的に前下がりに延びる保護板３６と、複数本の針５の各間の後方に位置するように該保護板３６の前縁から前方へ突設された複数の保護突片３７とからなり、前記後延部分８ａが多少たわんだとしてもその下方に位置するようになっている。複数の保護突片３７の各間は、前記上糸はらい部材１９の通過を許容する通過許容部３８（本例では切欠）となっている。
【００１７】
前記上糸はらい装置１７、上糸保持具２７及び上糸保護部材３５は、次のように作用する。
【００１８】
▲１▼  針５が刺繍縫いを休止して針上停止位置に至ると、糸つかみ装置９が上糸８をつかむ。
▲２▼  ロータリーソレノイド２０が励磁され、リンク機構２１を介して上糸はらい部材１９がガイド部材１８に沿って前方へ摺動する。この上糸はらい部材１９は、上糸保持具５６を貫通し、さらに通過許容部３８を通過して、針５の下方まで前進する。
▲３▼  ロータリーソレノイド２０が消磁され、それに組込まれたバネ（図示略）の付勢力により上糸はらい部材１９が後退する。この後退初期には、上糸はらい部材１９の前端の引掛部２２が針５と針板１３との間の上糸８に引っ掛かり、上糸８は緊張し、後退が一旦停止する。
▲４▼  糸切断装置１４が針板１３の下側で上糸８を切断すると、上糸８の緊張が解けるので、前記バネの付勢力により上糸はらい部材１９はさらに後退する。この後退により、上糸８は針５から後方へ所定長だけ延びるとともに（後延部分８ａ）、切断端部付近が引掛部２２から外れて上糸保持具５６に保持される。
▲５▼  その後、加工布５７の起立した周縁部５７ａが、刺繍枠１２の駆動に伴い、上糸８の後延部分８ａに接近しても、上糸保護部材３５の下面に当たるだけで、それより上方にある後延部分８ａには触れない。従って、上糸８が上糸保持具５６から脱落する不具合を防止することができ、該上糸８が次に刺繍縫いを開始する針５によって加工布１１に縫込まれるおそれがない。
【００１９】
なお、この発明は上記実施態様に限定されるものではなく、例えば次のように変更して実施することも可能である。
（１）保護突片３７や通過許容部３８の形状を変更すること。
（２）ロータリーソレノイド２０及びリンク機構２１に代えて、特開平８−２４３２８５号公報に開示されたようなリニアアクチュエータ（リニアモータ、流体圧シリンダ等）を採用し、上糸はらい部材１９に直接に直線運動を生じさせるようにすること。その場合、上糸はらい装置のコンパクト化、シンプル化、コスト低減、動作不良低減、軽量化等が可能となる。
【００２０】
【発明の効果】
以上詳述したように、本発明に係る多針刺繍ミシンの休止上糸保持装置によれば、刺繍枠に挟持されて起立した加工布の周縁部が針の後方へはらい上げられている上糸を上糸保持具から脱落させる不具合を防止することができる。
【図面の簡単な説明】
【図１】本発明に係る実施態様の多針刺繍ミシン及びその休止上糸保持装置を示す斜視図である。
【図２】同多針刺繍ミシン及びその休止上糸保持装置の断面図である。
【図３】同休止上糸保持装置の上糸保持具の分解斜視図である。
【図４】従来例の多針刺繍ミシン及びその休止上糸保持装置を示す斜視図である。
【図５】同多針刺繍ミシン及びその休止上糸保持装置の断面図である。
【図６】同休止上糸保持装置の上糸保持具の分解斜視図である。
【符号の説明】
２    刺繍ヘッド
５    針
８    上糸
８ａ  後延部分
１１    加工布
１１ａ  周縁部
１２    刺繍枠
１４    糸切断装置
１７    上糸はらい装置
１９    上糸はらい部材
２７    上糸保持具
２８    保持板
２９    毛状体
３０    取付ブラケット
３５    上糸保護部材
３６    保護板
３７    保護突片
３８    通過許容部
【図１】
0004063410.tif 000002
【図２】
0004063410.tif 000003
【図３】
0004063410.tif 000004
【図４】
0004063410.tif 000005
【図５】
0004063410.tif 000006
【図６】
0004063410.tif 000007